(57)【特許請求の範囲】
【請求項１】
複数の遊技台が配置された室内空間に複数の空気清浄機が互いに離間して配置された空気清浄システムであって、
上記複数の空気清浄機のそれぞれは、空気吸入口及び空気排出口を有する筐体と、
上記空気吸入口側に配置され、プラスに帯電して上記空気吸入口から吸入した空気中の塵埃を除去する電極フィルタ部と、
上記電極フィルタ部を透過して空気を吸入して圧送することで上記空気排出口から吐出して空気流を発生させる空気圧送部と、
上記空気圧送部から上記空気排出口までの空気流路に配置されて上記空気流をイオン化状態にするマイナスイオン発生部と、を備え、
上記各空気清浄機の送風量は１０００ｍ３／ｈｒ以上であり、
上記複数の空気清浄機で発生する空気流により上記室内空間に所定方向の循環流が形成されるように、上記空気流の流れに沿って上記各空気清浄機の上記空気排出口が他の空気清浄機に向けて配置され、上記各空気清浄機から排出されて上記他の空気清浄機に到達した段階で上記空気流中にマイナスイオンが残留し、該他の空気清浄機に到達した上記イオン化状態の空気流が該他の空気清浄機の空気吸入口から吸入されて空気中の塵埃が除去される、空気清浄システム。
【請求項２】
複数の遊技台が配置された室内空間に複数の空気清浄機を互いに離間して配置し、該室内空間の空気を清浄化する空気清浄化方法であって、
上記複数の空気清浄機のそれぞれは、
空気吸入口及び空気排出口を有する筐体と、
上記空気吸入口側に配置され、プラスに帯電して上記空気吸入口から吸入した空気中の塵埃を除去する電極フィルタ部と、
上記電極フィルタ部を透過して空気を吸入して圧送することで上記空気排出口から吐出して空気流を発生させる空気圧送部と、
上記空気圧送部から上記空気排出口までの空気流路に配置されて上記空気流をイオン化状態にするマイナスイオン発生部と、を備えてなり、
上記複数の空気清浄機で発生する空気流により上記室内空間に所定方向の循環流を形成するように、上記各空気清浄機の上記空気排出口を他の空気清浄機に向けて配置し、
上記各空気清浄機の送風量を１０００ｍ３／ｈｒ以上にして該各空気清浄機から排出させることで、上記空気流中にマイナスイオンが残留した状態で上記他の空気清浄機に到達させ、
該他の空気清浄機に到達した上記イオン化状態の空気流を該他の空気清浄機の空気吸入口から吸入させて空気中の塵埃を除去する、空気清浄化方法。
【発明の詳細な説明】
【技術分野】
【０００１】
本発明は、室内空間の空気中に浮遊した塵埃を除去する空気清浄システム及び空気清浄化方法に関するものである。
【背景技術】
【０００２】
従来、空気中の塵埃を除去する装置として空気清浄機が使用されている。空気清浄機とは、空気集塵機と称される装置や、空気中の塵埃の除去能力が空気集塵機に比べて高いものや塵埃と共に臭い成分などを除去できる装置などである。
空気集塵機や空気清浄機として、空気吸引口及び空気排出口を有する筐体内に空気吸引手段が設けられると共に空気吸引口にフィルタが設けられ、空気吸引手段により空気を吸引する際、空気中に含まれる塵埃がフィルタにより除去されるように構成されたものが知られている。
フィルタとしては、例えば空気集塵機では、各種のメッシュ、布、紙製のフィルタが使用されており、塵埃の除去効率の高い紙製のヘパフィルタが用いられることもある。また、空気清浄機では、空気吸引口から吸引される空気流に沿って複数枚の金属板が互いに並置されたものが使用されることがある（例えば下記特許文献１参照）。この金属板を用いたフィルタには、電気が供給されており、室内空間の空気を空気吸引口から吸引する際、帯電した金属板間に空気を通過させることで、空気中に含まれる塵埃が金属板に静電気的に付着して分離できるようになっている。
【先行技術文献】
【特許文献】
【０００３】
【特許文献１】特開平０６−３１２００号公報
【発明の概要】
【発明が解決しようとする課題】
【０００４】
しかしながら、このような金属板製のフィルタが装着された空気清浄機では、空気清浄機に設けられた空気吸引手段によって周囲の空気を吸引し、この空気を帯電したフィルタに通過させている。そのため、空気清浄機から離れた位置に存在する空気中の塵埃を除去することが容易でなかった。
パチンコ店等の遊技場では、タバコの煙粒子を含む塵埃が多量に存在することが多く、室内全体の空気中に含まれる塵埃を十分に除去して、快適な遊技環境を提供することが望まれている。
【０００５】
本発明は、以上の点に鑑み、室内空間の広い範囲に存在する塵埃を効率良く除去できる空気清浄システム及び空気清浄化方法を提供することを目的としている。
【課題を解決するための手段】
【０００６】
上記目的を達成する本発明の空気清浄システムは、複数の遊技台が配置された室内空間に複数の空気清浄機が互いに離間して配置された空気清浄システムであって、複数の空気清浄機のそれぞれは、空気吸入口及び空気排出口を有する筐体と、空気吸入口側に配置され、プラスに帯電して空気吸入口から吸入した空気中の塵埃を除去する電極フィルタ部と、電極フィルタ部を透過して空気を吸入して圧送することで空気排出口から吐出して空気流を発生させる空気圧送部と、空気圧送部から空気排出口までの空気流路に配置されて空気流をイオン化状態にするマイナスイオン発生部と、を備え、複数の空気清浄機で発生する空気流により室内空間に所定方向の循環流が形成されるように、空気流の流れに沿って各空気清浄機の空気排出口が他の空気清浄機に向けて配置され、各空気清浄機の送風量が１０００ｍ３／ｈｒ以上であり、各空気清浄機から排出されて他の空気清浄機に到達した段階で空気流中にマイナスイオンが残留し、他の空気清浄機に到達したイオン化状態の空気流が他の空気清浄機の空気吸入口から吸入されて空気中の塵埃が除去される。
上記目的を達成する本発明の空気清浄化方法は、複数の遊技台が配置された室内空間に複数の空気清浄機を互いに離間して配置し、室内空間の空気を清浄化する空気清浄化方法であって、複数の空気清浄機のそれぞれは、空気吸入口及び空気排出口を有する筐体と、空気吸入口側に配置され、プラスに帯電して空気吸入口から吸入した空気中の塵埃を除去する電極フィルタ部と、電極フィルタ部を透過して空気を吸入して圧送することで空気排出口から吐出して空気流を発生させる空気圧送部と、空気圧送部から空気排出口までの空気流路に配置されて空気流をイオン化状態にするマイナスイオン発生部と、を備えてなり、複数の空気清浄機で発生する空気流により室内空間に所定方向の循環流を形成するように、各空気清浄機の空気排出口を他の空気清浄機に向けて配置し、各空気清浄機の送風量を１０００ｍ３／ｈｒ以上にして各空気清浄機から排出させることで、空気流中にマイナスイオンが残留した状態で他の空気清浄機に到達させ、他の空気清浄機に到達したイオン化状態の空気流を他の空気清浄機の空気吸入口から吸入させて空気中の塵埃を除去する。
【発明の効果】
【０００７】
本発明の空気清浄システム及び空気清浄化方法によれば、室内空間に互いに離間して配置された複数の空気清浄機が、プラスに帯電して空気吸入口から流入する空気中の塵埃を除去する電極フィルタ部と、空気を圧送して空気流を発生させる空気圧送部と、空気流をイオン化状態にするマイナスイオン発生部とを備えており、しかも各空気清浄機の空気排出口が他の空気清浄機に向けて配置されている。よって、各空気清浄機から排出されて他の空気清浄機に到達した空気流はイオン化状態で、この空気流が他の空気清浄機の空気吸入口から取り込まれることで塵埃が除去される。
そのためイオン化状態で空気流が電極フィルタ部を通過することで塵埃を除去するため効率良く塵埃を除去でき、室内空間の広い範囲に存在する塵埃を満遍なく、且つ効率良く除去できる空気清浄システム及び空気清浄化方法を提供することができる。
【図面の簡単な説明】
【０００８】
【図１】本発明による空気清浄機の一実施形態の外観を示す正面図である。
【図２】図１の空気清浄機を示す右側面図である。
【図３】空気清浄機の内部構成を示す図１のＡ−Ａ断面図である。
【図４】図１の空気清浄機におけるクリーナ部を示す部分概略図である。
【図５】図１の空気清浄機におけるマイナスイオン発生部と風圧揺動片とを示す要部概略図である。
【図６】図１の空気清浄機における電気的構成を示すブロック図である。
【図７】空気清浄機の室内空間における第一の配置例を示す概略平面図である。
【図８】空気清浄機の室内空間における第二の配置例を示す概略平面図である。
【発明を実施するための形態】
【０００９】
以下、図１乃至図８を用いて本発明の実施形態について説明する。
【００１０】
図１から図６は、本発明の空気清浄システムに使用される空気清浄機の一実施形態の構成を示している。
空気清浄機１０は、筐体１１と、筐体１１内に配置される空気圧送部１２と、マイナスイオン発生部１３と、電極フィルタ部１４及びクリーナ部１５と、駆動制御部２０とから構成されている。
【００１１】
筐体１１は、鋼板等により中空に形成されており、空気圧送部１２、マイナスイオン発生部１３、電極フィルタ部１４及びクリーナ部１５等が内部に配設されている。筐体１１の上面には空気排出口１１ａが形成されている。図示の場合、空気排出口１１ａは、筐体１１の上部に装着されて一側方側に向けて開口されたフード１１ｂにより形成されている。ここではフード１１ｂの装着向きを変更することで、空気流の吐出向きを適宜変更することができる。この空気排出口１１ａの下方には、空気圧送部１２、マイナスイオン発生部１３が配置されている。
【００１２】
筐体１１の前面には、空気吸入口１１ｃが形成されており、この空気吸入口１１ｃは、開閉可能な扉１１ｄにより閉じられている。扉１１ｄは、閉鎖時に外部から筐体１１内に空気を吸入可能となるように、ほぼ全面に亘って格子状に多数の開口が形成されている。扉１１ｄの内側にはプレフィルタ１１ｅを備えている。プレフィルタ１１ｅは、例えば織布、不織布、スポンジ等、適宜な多孔性材料により形成されており、扉１１ｄの多数の開口を通過する空気に含まれる大きな塵埃粒子を除去可能となっている。
【００１３】
電極フィルタ部１４は、帯電フィルタであって、空気吸入口１１ｃの全体を覆う金属網からなるネット電極１４ｂと、ネット電極１４ｂの外側に隣接して積層配置されて空気吸入口１１ｃの全体を覆うフィルタ１４ａとを備えている。この実施形態では２枚のフィルタ１４ａが隣接して積層配置されて構成されている。フィルタ１４ａは、例えばハニカム構造の紙製フィルタからなる。ハニカム構造の紙製フィルタは、例えば１２０〜９０セルで２５ｍｍ厚のものが使用される。その際、ハニカム構造の各孔が、図３の左右方向となる空気の吸入方向を向くように配置される。尚、フィルタ１４ａは、交換の際に着脱を容易にするために、一側に図示しないアクリル樹脂製のリボンを備えている。
【００１４】
ネット電極１４ｂはプラスに帯電されており、駆動制御部２０により例えば数１０００Ｖ程度の高い正電圧が供給されるようになっている。これにより、フィルタ１４ａが配置される全面に亘って正電圧が供給されてフィルタ１４ａやその周囲には電場が生じている。
【００１５】
空気圧送部１２は、送風ファン１２ａと、送風ファン１２ａを駆動する駆動モータ１２ｂとを備える。送風ファン１２ａは、この実施形態ではシロッコファンであり、図３に示すように、筐体１１の空気排出口１１ａのほぼ全幅に亘って軸方向に延びている。駆動モータ１２ｂは、駆動制御部２０から給電されることにより、送風ファン１２ａを回転駆動可能となっている。
送風ファン１２ａが駆動モータ１２ｂにより回転駆動されると、空気吸入口１１ｃから送風ファン１２ａ内部に吸入空気が吸入され、この空気が側周面から加圧して放出されて筐体１１内に設けられた空気流路１１ｆへ加圧排出されるようになっている。この送風ファン１２ａにより空気排出口１１ａから圧送される空気の送風量は大きい程、空気清浄機１０からより離間した位置までマイナスイオンを到達させて効率よく空気中の塵埃を除去できる。空気の送風量を、例えば１０００ｍ３／ｈｒ以上、好ましくは１５００ｍ３／ｈｒとすることもよい。また風速として例えば３０ｍ／ｓｅｃ以上とすることもできる。
【００１６】
マイナスイオン発生部１３は、空気圧送部１２から空気排出口１１ａまでの間の空気流路１１ｆに装着されており、棒状に形成された支持部１３ｂの先端に導電性の弾性材料からなるイオン発生部材１３ａが設けられた構成を有する。導電性の弾性材料は、例えばカーボンファイバー等の線材であり、このイオン発生部材１３ａは多数の線材を略一方向きに束ねてそれぞれ先端を突出させたブラシまたは刷毛状に形成されている。
このマイナスイオン発生部１３は支持部１３ｂにより支持され、送風ファン１２ａの回転軸に沿う幅方向に一方の側面側から延びており、イオン発生部材１３ａの先端が空気流路１１ｆのほぼ中央付近に配置されている。このマイナスイオン発生部１３では、駆動制御部２０から電圧を印加して例えば放電させることで、イオン発生部材１３ａの先端で空気圧送部１２からの空気にマイナスイオンを発生させるようになっている。そのため、空気圧送部１２から圧送された空気流は、マイナスイオン発生部１３と接触した後、空気流路１１ｆ内を流れ、フード１１ｂの形状や配向に従い、例えば図１に矢印Ａで示すように、空気排出口１１ａから所定の方向に吐出される。
【００１７】
そのためマイナスイオン発生部１３では、空気排出口１１ａから吐出される空気流をイオン化状態にすることができる。ここでイオン化状態とは、所謂マイナスイオンが空気中に含まれた状態のことであり、少なくとも本実施形態の空気清浄機を稼働しない状態に比べて当該空気中に含まれるマイナスイオンの量が増加している状態のことである。なおマイナスイオンとは、例えば空気中に含まれる空気や水等の分子、粒子が電離したり、空気中に含まれる空気や水等の分子、粒子に負イオンが付着したりすることで生じた大気イオン等、各種の負イオンなどが含まれる。
【００１８】
クリーナ部１５は、図４に示すように、イオン発生部材１３ａに付着している塵埃を払い落とすための風圧揺動片１６と、イオン発生部材１３ａに付着している塵埃や汚れを洗浄するための洗浄装置１７と、から構成されている。
風圧揺動片１６は、図４及び図５に示すように、板状体からなり、送風ファン１２ａの近傍に配置されて空気流路１１ｆの壁面に、揺動支点１６ａを介して揺動可能に取り付けられている。この風圧揺動片１６は、図４に矢印Ｂで示すように、空気圧送部１２の送風ファン１２ａの稼働時に生じる空気圧により前部が上方へ揺動し、送風ファン１２ａの停止により、自重により前部が下方へ揺動することが可能となっている。そして、この揺動時に風圧揺動片１６がマイナスイオン発生部１３のイオン発生部材１３ａに接触したり衝突したりすることで、イオン発生部材１３ａを弾性変形させたり振動させ、イオン発生部材１３ａに付着した塵埃を払い落とすことが可能となっている。
【００１９】
洗浄装置１７は、洗浄ノズル１７ａと、例えば揮発性の洗浄液を加圧状態で貯蔵する洗浄液タンク１７ｂと、洗浄液タンク１７ｂから洗浄ノズル１７ａへの洗浄液の供給を制御する電磁弁１７ｃとを備えている。
洗浄液は特に限定されるものではないが、例えばアルコール類、オレンジ抽出物等の植物抽出液などが好適である。
洗浄ノズル１７ａは、図４に示すように、マイナスイオン発生部１３のイオン発生部材１３ａに配向させて配置されており、洗浄液をイオン発生部材１３ａに直接吹き付けることができるようになっている。
電磁弁１７ｃは、洗浄液タンク１７ｂから洗浄ノズル１７ａへの洗浄液の供給及び停止を行うもので、電磁弁１７ｃの動作により洗浄液が洗浄ノズル１７ａから吐出及び停止可能となっている。
【００２０】
電磁弁１７ｃは駆動制御部２０により制御されており、空気清浄機１０の使用前あるいは使用後に駆動されることで、洗浄液をイオン発生部材１３ａに吹きつけ、この洗浄液によりイオン発生部材１３ａに付着した塵埃を除去したり、イオン発生部材１３ａに固着した汚れを洗い落としたりできるようになっている。
【００２１】
駆動制御部２０は、図３及び図６に示すように、電源２１と、制御部２２とを備えている。電源２１は、一般商用電源から直流変換して給電する給電部やバッテリ等である。制御部２２は、電源２１から給電されることにより、空気圧送部１２、マイナスイオン発生部１３、電極フィルタ部１４及び洗浄装置１７を制御する。
【００２２】
即ち、制御部２２は、空気圧送部１２の送風ファン１２ａを駆動して、使用時に空気流を筐体１１の空気排出口１１ａから外部に吐出する。また、制御部２２はマイナスイオン発生部１３を駆動し、イオン発生部材１３ａに所定の電圧を印加し、空気流中にマイナスイオンを発生させる。さらに電極フィルタ部１４のネット電極１４ｂに高い正電圧を印加し、フィルタ１４ａ及びその周囲に電場を発生させる。加えて、この制御部２２は、洗浄装置１７の電磁弁１７ｃを駆動制御し、洗浄ノズル１７ａから洗浄液をイオン発生部材１３ａに対して吐出させる。
【００２３】
この制御部２２では、空気圧送部１２、マイナスイオン発生部１３、電極フィルタ部１４及び洗浄装置１７をそれぞれ独立してオンオフ動作させるように構成してもよいが、これらが相互に連動するように制御するのがよい。その場合、空気圧送部１２、マイナスイオン発生部１３及び電極フィルタ部１４を連動させて行う通常運転制御モードと、これらと洗浄装置１７とを連動させて行う洗浄運転制御モードとを、自動或いは手動で選択して行うことが好ましい。自動で選択する場合、例えば通常運転制御モードで連続して空気清浄機１０を稼働期間中に、予め可変に設定された所定時間毎に洗浄運転制御モードで制御を行ってもよく、通常運転制御モードで１乃至複数回空気清浄機１０を稼働する毎に、洗浄運転制御モードで制御を行ってもよく、毎回洗浄運転制御モードで制御を行ってもよい。
なお筐体１１の扉１１ｄの内側に、プラス帯電された電極フィルタ部１４が存在しているので、制御部２２は、安全のため扉１１ｄが開放されたとき、フィルタ１４ａへの高い正電圧の印加を中止するようにしてもよい。
【００２４】
本発明の実施形態による空気清浄機１０は以上のように構成されており、以下のように動作する。
まず、空気清浄機１０を通常運転制御モードで稼働する場合について説明する。
空気清浄機１０を停止状態から起動すると、駆動制御部２０により空気圧送部１２の駆動モータ１２ｂが駆動されて送風ファン１２ａが回転し、空気を送風ファン１２ａから空気流路１１ｆへ加圧して送り出す。
【００２５】
このとき、クリーナ部１５の風圧揺動片１６が送風ファン１２ａで発生する空気流の空気圧により跳ね上げられ、イオン発生部材１３ａに衝突することで、上方に弾性変形させたり、振動させたりする。これによりイオン発生部材１３ａに付着していた塵埃粒子が払い落とされる。
【００２６】
空気流路１１ｆでは、駆動制御部２０によりマイナスイオン発生部１３に電圧が印加され、空気圧送部１２の送風ファン１２ａにより発生した空気流がこのイオン発生部材１３ａの近傍を通過することにより、空気流中にマイナスイオンを発生させる。
【００２７】
マイナスイオンを含んだ空気流は筐体１１の空気排出口１１ａから吐出され、室内空間に空気流を形成して塵埃を除去すべき室内空間に放出される。これにより、マイナスイオンを含む空気流が流動し、例えばマイナスイオンが空気流と共に移動したり拡散したりすることで、空気清浄機１０の周囲から空気清浄機１０から離間した室内空間内の位置までの広い範囲にマイナスイオンが供給され、室内空間に供給されたマイナスイオンは空気中に浮遊する塵埃粒子と接触する。そのため、室内空間に浮遊するプラスを帯びた塵埃粒子が、例えば電気的に中性あるいはマイナスを帯びたり、マイナスイオンが表面に付着したり、さらに複数の粒子が凝集したりする。その結果、後述するように電極フィルタ部１４に引きつけられ易くなる。
【００２８】
一方、空気吸入口１１ｃでは、駆動制御部２０によりネット電極１４ｂではプラスの電圧が印加されてフィルタ１４ａやその周囲に電場が形成される。この状態で空気圧送部１２により室内空間を循環した空気流が吸入される。
吸入された空気は、まず筐体１１の空気吸入口１１ｃ側に配置された扉１１ｄのプレフィルタ１１ｅを通過する。その際、大きな塵埃粒子がプレフィルタ１１ｅにより除去される。
プレフィルタ１１ｅを通過した空気流は、続いて電極フィルタ部１４のフィルタ１４ａのハニカム構造の個々の孔を通過する。このとき、室内空間でマイナスイオンに接触した塵埃粒子は、電場が形成されたフィルタ１４ａの孔を通過する際、ネット電極１４ｂから生じる電気力線の向きとは逆向きに力を受け、フィルタ１４ａに吸着する。
この場合、フィルタ１４ａに吸着される塵埃粒子は、空気中に浮遊する塵埃粒子だけでなく、タバコの煙粒子やヤニあるいはインフルエンザのウィルス粒子等もフィルタ１４ａに吸着される。
この空気が再び空気圧送部１２により空気排出口１１ａから室内空間に空気流として放出され、これを継続することで、室内空間の空気が清浄化される。
【００２９】
任意の時間空気清浄機１０を稼働した後、駆動制御部２０により、空気圧送部１２、マイナスイオン発生部１３、電極フィルタ部１４及び洗浄装置１７の駆動を停止させる。
この停止時には、まず空気圧送部１２の稼働が停止されると、送風ファン１２ａによる空気流の圧力によりイオン発生部材１３ａの上方へ跳ね上げられていた風圧揺動片１６が自重により下方へ揺動し、イオン発生部材１３ａに再び当接して下方へ弾性変形させ、図４に示す待機位置に戻る。これにより風圧揺動片１６がイオン発生部材１３ａに付着した塵埃を払い落として除去する。
【００３０】
次に、空気清浄機１０を洗浄運転制御モードで稼働する場合について説明する。
このモードでは、上述の通常運転制御モードと同様の制御を開始する前、具体的には駆動制御部２０により送風ファン１２ａを回転駆動させる前に洗浄動作を行うか、通常運転制御モードにおける稼働停止後、具体的には空気圧送部１２の稼働停止後に洗浄動作を行うように制御を実行することができる。
洗浄運転制御モードでは、駆動制御部２０によりクリーナ部１５の洗浄装置１７を稼働する。ここでは洗浄装置１７の電磁弁１７ｃを駆動し、洗浄液タンク１７ｂ内に加圧状態で保持されていた洗浄液を洗浄ノズル１７ａに供給し、洗浄ノズル１７ａからマイナスイオン発生部１３のイオン発生部材１３ａに洗浄液が噴射される。すると、イオン発生部材１３ａに付着していた固着した塵埃粒子やタバコのヤニ、有機物質などの汚れが洗浄液により洗い流され、イオン発生部材１３ａの表面が洗浄される。
【００３１】
その後、空気圧送部１２を駆動し、マイナスイオン発生部１３のイオン発生部材１３ａに付着している洗浄液を乾燥させる。このとき、予め設定されている所定の時間で空気圧送部１２を駆動してもよく、乾燥程度を検出可能な検出部により乾燥状態であることを検出するまでの時間で空気圧送部１２を駆動してもよい。
洗浄運転制御モード後に通常運転制御モードの制御を行う場合、これらの乾燥時間経過後に、マイナスイオン発生部１３に電気を供給して上述のように通常運転制御モードによる制御を実施すればよい。
【００３２】
本実施形態の空気清浄システムは、以上のような空気清浄機１０を複数互いに離間して配置することにより、例えば図７に示すように構成されている。ここでは、少なくとも互いに隣接する二台の空気清浄機１０が上記のような構成を備えるのがよく、特に三台以上の全ての空気清浄機１０が上記のような構成を備えるのが好適である。
この空気清浄システムは塵埃を除去すべき室内空間であるパチンコ店、ホール等の遊技店用のシステムである。このような室内空間３０では、ビル衛生管理法等の基準値である浮遊塵埃量が０．１５０ｍｇ／ｍ３以上となる空間が多く、この実施形態でもそのような室内空間３０を対象にしている。
この実施形態の室内空間３０には、遊技台３１が並んで、所謂遊技島３２として配置されており、各遊技島３２の上部、ここでは全ての遊技島３２より上部の空間に空気清浄機１０が設置されている。
【００３３】
この空気清浄システムでは、各空気清浄機１０の空気排出口１１ａが他の空気清浄機１０に向けてそれぞれ設置されている。ここでは、全ての空気清浄機１０が、図７にて矢印Ｆで示すように、室内空間３０に設定される平面視における一方回りの循環流を形成するように、各空気清浄機１０の空気排出口１１ａが下流側に隣接する空気清浄機１０に向けて空気流を吐出するように配置されている。
【００３４】
ここでは、上述のように、空気圧送部１２により圧送されて空気排出口１１ａから吐出されて形成された空気流が少なくとも次の空気清浄機１０に到達することが望ましく、各空気圧送部１２の送風量がそれ以上となるように設定されたり、互いに上流下流に隣接する空気清浄機１０間の間隙を送風量に基づき適宜設定されたりするのが好適である。
【００３５】
この実施形態では、各空気清浄機１０から吐出されて次の空気清浄機１０に到達した空気流が上述のイオン化状態であることが必要である。このイオン化状態であることで次の空気清浄機１０において塵埃を効率よく除去可能にするためである。
マイナスイオンは大気中の帯電した塵埃等により中和されて通常短時間で減少したり消失したりし、マイナスイオン発生地点からの距離の二乗に反比例して低下することが知られている。ところが本実施形態の空気清浄システムでは、何れかの空気清浄機１０で生成したマイナスイオンを含有する空気流が他の空気清浄機１０に到達した段階で、空気流中のマイナスイオンを残留させているのである。ここでは、例えばマイナスイオン発生部１３におけるマイナスイオン量を多くしたり、空気圧送部１２による送風量や送風速度を大きくしたり、空気排出口１１ａの吐出方向をより正確に隣接する空気清浄機１０に向けることなどで実現することが可能である。
【００３６】
より具体的には、例えば循環流Ｆに沿って隣接する下流側の空気清浄機１０の位置、少なくともその空気清浄機１０の１ｍ上流側で測定されるマイナスイオン濃度が、少なくとも空気清浄機１０を可動させない状態における室内空間３０内のマイナスイオン濃度より高くし、好ましくは２０００個／ｃｃ以上、より好ましくは３０００個／ｃｃ以上、特に５０００個／ｃｃ以上とするのがよい。このマイナスイオン濃度は、例えば大気イオン濃度を測定する各種の方法で測定でき、例えばエーベルト方式やゲルディエン方式などを利用して測定してもよい。
【００３７】
このように配置された複数の空気清浄機１０によれば、一つの空気清浄機１０から放出された空気流が、室内空間３０内を流れて、次の空気清浄機１０付近に達し、この空気清浄機１０において、上述のように、筐体１１の空気吸入口１１ｃから筐体１１内に取り込まれ、その際プレフィルタ１１ｅ及び電極フィルタ部１４により塵埃が除去される。
このようなことが順に行われることで、室内空間３０全体に亘って、図７にて矢印Ｆで示すように、空気流が形成されて隅々まで循環し、室内空間３０全体の空気中に浮遊する塵埃粒子を各空気清浄機１０により除去することができる。
【００３８】
図８は上述のような空気清浄機１０を使用した空気清浄システムの第二の構成例を示している。図８において、塵埃を除去すべき室内空間４０は、カラオケルーム等であって、その天井付近の互いに離れた二カ所に、それぞれ空気清浄機１０が設置されている。
【００３９】
この場合も同様にして、一つの空気清浄機１０から放出された空気流が、室内空間４０内を流れて、もう一つの空気清浄機１０付近に達し、この空気清浄機１０の筐体１１の空気吸入口１１ｃから筐体１１内に取り込まれ、その際プレフィルタ１１ｅ及び電極フィルタ部１４により塵埃粒子が除去される。ここでは図８にて矢印Ｆで示す空気流Ｆの流れに沿って、一方の空気清浄機１０の空気排出口１１ａが他方の空気清浄機１０に向けて配置されており、図７のシステムと同じである。
従って、室内空間４０全体に亘って空気流Ｆが隅々まで循環しながら、空気中に浮遊する塵埃粒子をマイナスイオン化するので、室内空間４０全体の空気中に浮遊する塵埃粒子が、他方の空気清浄機１０の筐体１１内に取り込まれ、プレフィルタ１１ｅ及び電極フィルタ部１４に付着して空気中から除去される。
【００４０】
以上のような空気清浄機１０によれば、空気圧送部１２から空気排出口１１ａまでの空気流路１１ｆにマイナスイオン発生部１３が配置されており、空気圧送部１２により圧送された空気にマイナスイオンを発生させて空気排出口１１ａから吐出することで、空気流を発生させるので、空気流によりマイナスイオンをより離れた空間にまで供給することができ、室内空間の広い範囲に浮遊してプラスを帯びた塵埃にマイナスイオンを接触させることができる。
そして、空気吸入口１１ｃ側に配置されて空気中の塵埃を除去する電極フィルタ部１４がプラスに帯電してその周りには電場が生じているので、マイナスイオンと接触した塵埃を効率よく電極フィルタ部１４に引きつけられ、これにより塵埃が電極フィルタ部１４に効率よく捕集される。
そのため、室内空間の広い範囲に存在する塵埃を効率良く除去することが可能である。
【００４１】
この空気清浄機１０では、電極フィルタ部１４がプラスに帯電したネット電極１４ｂと、ネット電極１４ｂの外側に着脱可能に配置されたフィルタ１４ａとを備えているので、使用時に塵埃が付着したフィルタ１４ａを電極フィルタ部１４から離脱させて捕集した塵埃を処分することができ、メンテナンス性がよい。
【００４２】
しかも、フィルタ１４ａはハニカム構造の紙製フィルタからなり、ハニカム構造の各孔が空気吸入口１１ｃの空気吸入方向に沿って配置されているので、吸入空気の圧損を少なく抑えることができ、しかも紙製フィルタであるため使い捨て可能で、メンテナンス性もさらに良好である。
【００４３】
また、マイナスイオン発生部１３に付着した汚れを除去するクリーナ部１５を備えているので、マイナスイオン発生部１３に汚れが付着してマイナスイオンの発生量が低下することを防止できる。
【００４４】
さらに、クリーナ部１５が空気圧送部１２により生じる空気流により揺動可能に空気流路に配置された風圧揺動片１６を有し、風圧揺動片１６が揺動することでマイナスイオン発生部１３に接触してイオン発生部材１３ａに堆積した塵埃を払い落とすことができるので、空気圧送部１２の稼働及び停止を行うことで、風圧揺動片１６によりイオン発生部材１３ａの塵埃を除去でき、風圧揺動片１６を動作させるための駆動部を設けることなく、クリーナ部１５を簡単に構成できる。
【００４５】
また、クリーナ部１５がマイナスイオン発生部１３に洗浄液を供給してマイナスイオン発生部１３に付着した汚れを洗浄する洗浄装置１７を備えているので、マイナスイオン発生部１３に付着した汚れを洗浄液により効率よく除去することができる。
【００４６】
以上のような空気清浄機１０が、室内空間に複数個互いに離間して配置された空気清浄システムによれば、各空気清浄機１０の空気排出口１１ａから排出された空気が、他の空気清浄機１０の空気吸入口１１ｃから取り込まれることにより室内空間の空気中の塵埃を除去するので、各空気清浄機１０の空気排出口１１ａからの空気流により離れた空間にマイナスイオンが供給され、その空間の空気が他の空気清浄機１０の空気吸入口１１ｃから取り込まれて塵埃が電源フィルタにより除去される。そのため、広い空間内に浮遊する塵埃を満遍なく、且つ効率よく除去することが可能である。
【００４７】
しかも、この空気清浄システムでは、各空気清浄機１０の空気排出口１１ａが他の空気清浄機１０に向けて配置され、各空気清浄機１０で発生する空気流により室内空間に所定方向Ｆの室内空気流を形成するようになっているので、各空気清浄機１０で発生する空気流により室内空間に所定方向Ｆの室内空気流を形成することができ、そのために広い空間であっても全体の空気を流動させることができて、より効率よく空間内に浮遊する塵埃を除去することができる。
【００４８】
本発明はその趣旨を逸脱しない範囲において様々な形態で実施することができる。例えば、空気圧送部１２の送風ファン１２ａはシロッコファンが使用されているが、これに限らず、他の型式の送風機であってもよい。
また、上述した実施形態においては、塵埃を除去すべき室内空間として遊技店やカラオケルームの場合について説明したが、これに限らず、交通機関の車室や、各種会議室等でもよい。
さらに、上述した実施形態においては、空気清浄機１０は、クリーナ部１５として、風圧揺動片１６及び洗浄装置１７を備えているが、何れか一方のみを備えていてもよいことは明らかである。
【符号の説明】
【００４９】
１０    空気清浄機
１１    筐体
１１ａ  空気排出口
１１ｂ  フード
１１ｃ  空気吸入口
１１ｄ  扉
１１ｅ  プレフィルタ
１２    空気圧送部
１２ａ  送風ファン
１２ｂ  駆動モータ
１３    マイナスイオン発生部
１３ａ  イオン発生部材
１３ｂ  支持部
１４    電極フィルタ部
１４ａ  フィルタ
１４ｂ  ネット電極
１５    クリーナ部
１６    風圧揺動片
１６ａ  揺動支点
１７    洗浄装置
１７ａ  洗浄ノズル
１７ｂ  洗浄液タンク
１７ｃ  電磁弁
２０    駆動制御部
２１    電源
２２    制御部
３０    室内空間（遊技店）
３１    遊技台
３２    遊技島
４０    室内空間（カラオケルーム）
【図１】
0005549039.tif 000002
【図２】
0005549039.tif 000003
【図３】
0005549039.tif 000004
【図４】
0005549039.tif 000005
【図５】
0005549039.tif 000006
【図６】
0005549039.tif 000007
【図７】
0005549039.tif 000008
【図８】
0005549039.tif 000009